(57)【要約】      （修正有）【課題】商用電源の瞬停の許容範囲内では、例えばテレビ視聴に違和感を与えないようにする。【解決手段】商用電源より高圧直流電圧を得るようにした高圧直流電圧発生手段と、この高圧直流電圧よりオンオフロジック系回路に電源として供給する第１の直流電圧を得る第１のＤＣ−ＤＣコンバータと、データ（アドレス）電極に供給する第２の直流電圧を得る第２のＤＣ−ＤＣコンバータと、維持電極に供給する第３の直流電圧を得る第３のＤＣ−ＤＣコンバータを設けたプラズマディスプレイ装置において、電源オフ時のシーケンスは、この高圧直流電圧が第１の所定電圧に降下したときにこの第２のＤＣ−ＤＣコンバータの出力直流電圧を落とし、その後この高圧直流電圧がこの第１の所定電圧よりも低い第２の所定電圧になったときにこの第３のＤＣ−ＤＣコンバータの出力直流電圧を落とし、その後この第１のＤＣ−ＤＣコンバータを不動作とするようにする。【選択図】図１
2005114850.tif 000002
【特許請求の範囲】
【請求項１】
商用電源より高圧直流電圧を得るようにした高圧直流電圧発生手段と、
前記高圧直流電圧よりプラズマディスプレイパネルのオンオフロジック系回路に電源として供給する第１の直流電圧を得る第１のＤＣ−ＤＣコンバータと、
前記高圧直流電圧より前記プラズマディスプレイパネルのデータ（アドレス）電極に供給する第２の直流電圧を得る第２のＤＣ−ＤＣコンバータと、
前記高圧直流電圧より前記プラズマディスプレイパネルの維持電極に供給する第３の直流電圧を得る第３のＤＣ−ＤＣコンバータとを設けたプラズマディスプレイ装置において、
電源オフ時のシーケンスは、前記高圧直流電圧が第１の所定電圧に降下したときに前記第２のＤＣ−ＤＣコンバータの出力直流電圧を落とし、その後前記高圧直流電圧が前記第１の所定電圧よりも低い第２の所定電圧に降下したときに前記第３のＤＣ−ＤＣコンバータの出力直流電圧を落とし、その後前記第１のＤＣ−ＤＣコンバータを不動作とするようにしたことを特徴とするプラズマディスプレイ装置。
【請求項２】
商用電源より高圧直流電圧を得るようにした高圧直流電圧発生手段と、
前記高圧直流電圧よりプラズマディスプレイパネルのオンオフロジック系回路に電源として供給する第１の直流電圧を得る第１のＤＣ−ＤＣコンバータと、
前記高圧直流電圧より前記プラズマディスプレイパネルのデータ（アドレス）電極に供給する第２の直流電圧を得る第２のＤＣ−ＤＣコンバータと、前記高圧直流電圧より前記プラズマディスプレイパネルの維持電極に供給する第３の直流電圧を得る第３のＤＣ−ＤＣコンバータを設けたプラズマディスプレイ装置において、
前記高圧直流電圧を検出する第１及び第２の電圧検出手段と、
前記第２及び第３のＤＣ−ＤＣコンバータの夫々の出力側に設けた第１及び第２のディスチャージ回路とを有し、
前記第１の電圧検出手段により前記高圧直流電圧が第１の所定電圧に降下したときに前記第２のＤＣ−ＤＣコンバータを不動作とすると共に前記第１のディスチャージ回路を動作状態とし、前記第２の電圧検出回路により前記高圧直流電圧が前記第１の所定電圧よりも低い第２の所定電圧に降下したときに、前記第３のＤＣ−ＤＣコンバータを不動作とすると共に前記第２のディスチャージ回路を動作状態とするようにしたことを特徴とするプラズマディスプレイ装置。
【請求項３】
請求項１又は２記載のプラズマディスプレイ装置において、
前記高圧直流電圧が３８０Ｖ、前記第１の所定電圧が３３０Ｖ、前記第２の所定電圧が２５０Ｖであることを特徴とするプラズマディスプレイ装置。
【請求項４】
商用電源より高圧直流電圧を得るようにした高圧直流電圧発生手段と、
前記高圧直流電圧よりプラズマディスプレイパネルのオンオフロジック系回路に電源として供給する第１の直流電圧を得る第１のＤＣ−ＤＣコンバータと、
前記高圧直流電圧より前記プラズマディスプレイパネルのデータ（アドレス）電極に供給する第２の直流電圧を得る第２のＤＣ−ＤＣコンバータと、
前記高圧直流電圧より前記プラズマディスプレイパネルの維持電極に供給する第３の直流電圧を得る第３のＤＣ−ＤＣコンバータとを設けたプラズマディスプレイ装置の電源オフ方法において、
前記高圧直流電圧が第１の所定電圧に降下したときに前記第２のＤＣ−ＤＣコンバータの出力直流電圧を落とし、その後前記高圧直流電圧が前記第１の所定電圧よりも低い第２の所定電圧に降下したときに前記第３のＤＣ−ＤＣコンバータの出力直流電圧を落とし、その後前記第１のＤＣ−ＤＣコンバータを不動作とするようにしたことを特徴とするプラズマディスプレイ装置の電源オフ方法。
【請求項５】
請求項４記載のプラズマディスプレイ装置の電源オフ方法において、
前記高圧直流電圧が３８０Ｖ、前記第１の所定電圧が３３０Ｖ、前記第２の所定電圧が２５０Ｖであることを特徴とするプラズマディスプレイ装置の電源オフ方法。
【発明の詳細な説明】
【技術分野】
【０００１】
本発明はテレビジョン（ＴＶ）受像機やパーソナルコンピュータ（ＰＣ）等の表示装置として用いられるプラズマディスプレイパネル（ＰＤＰ（Ｐｌａｓｍａ  Ｄｉｓｐｌａｙ  Ｐａｎｅｌ））を備えたプラズマディスプレイ装置及びプラズマディスプレイ装置の電源オフ方法に関する。
【背景技術】
【０００２】
プラズマディスプレイパネル（ＰＤＰ）は薄型構造とすることができ、容易に大画面を実現でき、表示のちらつきがなく、表示コントラストが大きく、応答速度が速く、自発光型で多色発光表示も可能であるなど、数多くの特長を有することから、ＴＶ受信機やＰＣなどの表示装置として注目され、用いられている。
【０００３】
ＰＤＰは、その動作方式によって、電極を誘電体で被覆して間接的に交流放電の状態で動作させる交流放電型のものと、電極を放電ガス空間に露出させて直流放電の状態で動作させる直流放電型のものとに大別される。さらに、交流放電型のＰＤＰには、駆動方式として、放電セルのメモリ性を利用するメモリ動作型と、メモリ性を利用しないリフレッシュ動作型とがある。
【０００４】
〔交流放電メモリ動作型ＰＤＰの構成〕
図３は、交流放電メモリ動作型ＰＤＰの概略的な平面構造を示し、図４は、その一つの表示セル（画素部）の概略的な断面構造を示す。
【０００５】
このＰＤＰ１０は、行電極としての走査電極Ｓｃ１，Ｓｃ２‥‥Ｓｃｍ及び維持電極Ｓｕ１，Ｓｕ２‥‥Ｓｕｍ、と列電極としてのデータ（アドレス）データＤ１，Ｄ２，Ｄ３‥‥Ｄｎとが形成されて、表示セル１がｍ行ｎ列にわたってドットマトリックス状に配列されたものである。
【０００６】
断面構造としては、図４に示すように、例えばガラスからなる透明な前面絶縁基板１１上に、それぞれ例えばＩＴＯ（Ｉｎｄｉｕｍ  Ｔｉｎ  Ｏｘｉｄｅ）からなる透明な走査電極１２及び維持電極１３が、互いに平行に形成され、走査電極１２上及び維持電極１３上に、それぞれ電極抵抗を小さくするためのトレース電極１４及び１５が形成され、走査電極１２、維持電極１３及びトレース電極１４，１５を覆って前面絶縁基板１１上に誘電体層１６が形成され、誘電体層１６上に、これを放電から保護する、酸化マグネシウムなどからなる保護層１７が形成される。
【０００７】
また、例えばガラスからなる背面絶縁基板２１上に、前面絶縁基板１１上の走査電極１２及び維持電極１３と直交するようにデータ（アドレス）電極２２が形成され、データ電極２２を覆って背面絶縁基板２１上に誘電体層２３が形成され、誘電体層２３上に、紫外線の照射によって可視光を発する蛍光体層２４が形成される。
【０００８】
前面絶縁基板１１及び背面絶縁基板２１は、前面絶縁基板１１上の保護層１７と背面絶縁基板２１上の蛍光体層２４が対向するように配置され、両者間の放電ガス空間２内に、ヘリウム、ネオン、キセノンなどのガス、又は、それらの混合ガスからなる放電ガス３が充填される。ただし、図４では省略したが、放電ガス空間２は、図３の行方向（図上の左右方向）において、隔壁によって列ごとに分離される。
【０００９】
そして、次に述べるように放電ガス空間２において放電ガス３が放電すると、放電ガス３から紫外線４が発生して、その紫外線４が蛍光体層２４を照射し、蛍光体層２４から可視光５が発生して、表示セル１が発光表示される。
【００１０】
ある表示セル１において、走査電極１２とデータ電極２２との間に放電しきい値を超えるパルス電圧を印加すると、このパルス電圧の極性に応じて、両側の誘電体層１６及び２３の表面に、正負の電荷が吸引されて電荷の堆積を生じる。この電荷の堆積に起因する等価的な内部電圧、即ち壁電圧は、印加されたパルス電圧と逆極性になるため、放電の成長と共にセル内部の実効電圧が低下し、このパルス電圧が一定値を保持していても、放電を維持することができず、遂には放電が停止する。
【００１１】
その後、同じ表示セルの走査電極１２と維持電極１３との間に、壁電圧と同極性のパルス電圧である維持放電パルスを印加すると、壁電圧の分が実効電圧として重畳されるため、維持放電パルスの電圧振幅が小さくても、セル内部の実効電圧が放電しきい値を超えて放電することができる。
【００１２】
従って、走査電極１２と維持電極１３との間に維持放電パルスを交互に印加し続けることによって、放電を維持することが可能となる。この機能が、上述したメモリ機能である。また、走査電極１２又は維持電極１３に、壁電圧を中和するような幅の広い低電圧パルス、又は維持放電パルスの電圧程度のパルスである幅の狭い消去パルスを印加することによって、維持放電を停止させることができる。
【００１３】
〔交流放電メモリ動作型ＰＤＰの駆動方法〕
この駆動方法は、図５に示す如く駆動の一周期であるサブフィールドを、予備放電期間、書き込み放電期間及び維持放電期間に分割する。
【００１４】
予備放電期間は、その後の書き込み放電期間において安定した書き込み放電特性を得るために、放電ガス空間２内に活性粒子及び壁電荷を生成するための期間であり、まず、この予備放電期間において、維持電極駆動波形として示すように、全ての維持電極Ｓｕ１，Ｓｕ２‥‥Ｓｕｍに共通に、全ての表示セル１を同時に放電させる予備放電パルスＰｐを印加した後、走査電極駆動波形Ｗｓ１，Ｗｓ２‥‥Ｗｓｍとして示すように、全ての走査電極Ｓｃ１，Ｓｃ２‥‥Ｓｃｍに共通に、予備放電パルスＰｐによって生成された壁電荷のうちの、書き込み放電及び維持放電を阻害する電荷を消滅させるための予備放電消去パルスＰｐｅを印加する。
【００１５】
即ち、まず、維持電極Ｓｕ１〜Ｓｕｍに電圧Ｖｐの予備放電パルスＰｐを印加して、全ての表示セル１において予備放電を生じさせた後、走査電極Ｓｃ１〜Ｓｃｍに電圧Ｖｐｅの予備放電消去パルスＰｐｅを印加して、全ての表示セル１において消去放電を生じさせ、予備放電パルスＰｐによって堆積した壁電荷を消去する。
【００１６】
次に、書き込み放電期間では、走査電極駆動波形Ｗｓ１，Ｗｓ２‥‥Ｗｓｍとして示すように、各走査電極Ｓｃ１，Ｓｃ２‥‥Ｓｃｍに順次、電圧Ｖｗの走査パルスＰｗを印加すると共に、データ電極駆動波形として示すように、この走査パルスＰｗに同期して、表示すべき表示セルのデータ電極Ｄｉ（１≦ｉ≦ｎ）にのみ選択的に、電圧Ｖｄのデータ書き込みパルスＰｄを印加して、表示すべき表示セルにおいて、書き込み放電を生じさせ、壁電荷を生成する。
【００１７】
走査電極駆動波形Ｗｓ１〜Ｗｓｍにおける走査ベースパルスＰｄｗは、それぞれ走査パルスＰｗ以外の書き込み放電期間において走査電極Ｓｃ１〜Ｓｃｍに印加するもので、データ電極にデータ書き込みパルスＰｄが印加されても、そのデータ電極と走査ベースパルスＰｂｗが印加された走査電極との間で放電を生じない電圧値に設定する。
【００１８】
次に、維持放電期間では、維持電極駆動波形として示すように、全ての維持電極Ｓｕ１，Ｓｕ２‥‥Ｓｕｍに共通に、電圧Ｖｓの維持放電パルスＰｃを印加すると共に、走査電極駆動波形Ｗｓ１，Ｗｓ２‥‥Ｗｓｍとして示すように、全ての走査電極Ｓｃ１，Ｓｃ２‥‥Ｓｃｍに共通に、維持放電パルスＰｃに対して１８０度位相が遅れた電圧Ｖｓの維持放電パルスＰｓを印加して、書き込み放電期間で書き込み放電を行った表示セルにおいて、維持放電を所定回数、繰り返して行う。図５は、維持放電パルスＰｃ及びＰｓを、それぞれ４個ずつ発生させることによって、維持放電を８回、繰り返して行う場合である。
【００１９】
輝度の階調については、図６に示すように、１フィールドを互いに時間幅が異なる複数のサブフィールドに分割し、各サブフィールドの図５に示した維持放電期間における維持放電の繰り返し回数（維持放電パルスＰｃ及びＰｓの個数）の比率を１：２：４：８：１６：３２‥‥というように順次、２倍化して、映像データの値に応じて、書き込み放電及び維持放電を行うサブフィールドを選択することによって、階調を得る。
【００２０】
例えば、映像データが６ビットで表現される場合、図６のように１フィールドを第１サブフィールドから第６サブフィールドまでの６つのサブフィールドに分割し、映像データが“１０１００１”のときには、第１サブフィールド、第４サブフィールド及び第６サブフィールドにおいて、書き込み放電及び維持放電を行って、１フィールドにおける維持放電の総回数を４１ｋとし（ｋは、維持放電期間における維持放電の繰り返し回数が最も少ない第１サブフィールドにおける維持放電の繰り返し回数）、映像データが“０１１１０１”のときには、第１サブフィールド、第３サブフィールド、第４サブフィールド及び第５サブフィールドにおいて、書き込み放電及び維持放電を行って、１フィールドにおける維持放電の総回数を２９ｋとする。これによって、映像データの値に応じた輝度階調となる。
【００２１】
多色画像を表示するには、例えば、図４に示した蛍光体層２４を、図３の行方向における表示セル１の一つごとに、それぞれ赤、緑、青の色光を発光するものとして、赤、緑、青の表示セルを循環的に形成し、それぞれ赤、緑、青の原色データの値に応じて選択されたサブフィールドの書き込み放電期間において、赤、緑、青の表示セルのデータ電極にデータ書き込みパルスを印加するように構成する。
【００２２】
〔従来のプラズマディスプレイ装置〕
図７は、図３及び図４に示したような交流放電メモリ動作型のＰＤＰ１０を図５及び図６に示したような方法で駆動する従来のプラズマディスプレイ装置を示す。
【００２３】
このプラズマディスプレイ装置は、ＰＤＰ１０、駆動装置部３０、及び電源装置部４０によって構成され、駆動装置部３０は、映像信号処理部３１、映像データ発生部３２、タイミングパルス発生部３３、維持電極駆動部３５、共通パルス発生部３６、走査パルス発生部３７、及びデータ電極駆動部３８によって構成される。
【００２４】
映像信号処理部３１では、入力映像信号から、映像データ発生部３２に供給されるべき映像信号が生成されると共に、水平及び垂直の同期信号が抽出され、基準のクロックが生成される。
【００２５】
タイミングパルス発生部３３では、映像信号処理部３１からの同期信号及びクロックから、維持電極駆動部３５、共通パルス発生部３６、走査パルス発生部３７、映像データ発生部３２、及びデータ電極駆動部３８に供給されるべき各種のタイミングパルスが生成される。
【００２６】
維持電極駆動部３５では、タイミングパルス発生部３３からのタイミングパルスに基づいて、図５に維持電極駆動波形として示したように、予備放電期間において予備放電パルスＰｐが、維持放電期間において維持放電パルスＰｃが、それぞれ生成され、各維持電極１３（Ｓｕ１〜Ｓｕｍ）に共通に印加される。
【００２７】
共通パルス発生部３６では、タイミングパルス発生部３３からのタイミングパルスに基づいて、図５の走査電極駆動波形Ｗｓ１〜Ｗｓｍの一部として示したように、予備放電期間において予備放電消去パルスＰｐｅが、維持放電期間において維持放電パルスＰｓが、それぞれ生成され、各走査電極１２（Ｓｃ１〜Ｓｃｍ）に共通に印加される。
【００２８】
走査パルス発生部３７では、タイミングパルス発生部３３からのタイミングパルスに基づいて、図５の走査電極駆動波形Ｗｓ１〜Ｗｓｍの一部として示したように、書き込み放電期間において走査パルスＰｗ及び走査ベースパルスＰｂｗが生成され、各走査電極１２（Ｓｃ１〜Ｓｃｍ）に順次印加される。
【００２９】
映像データ発生部３２では、映像信号処理部３１からの映像信号及びタイミングパルス発生部３３からのタイミングパルスに基づいて、図５にデータ電極駆動波形として示したようなデータ書き込みパルスＰｄの生成用の映像データが得られ、データ電極駆動部３８に供給される。
【００３０】
データ電極駆動部３８では、映像データ発生部３２からの映像データ及びタイミングパルス発生部３３からのタイミングパルスに基づいて、図６において示したように、映像データ発生部３２からの映像データの値に応じて選択されたサブフィールドの書き込み放電期間において、データ書き込みパルスＰｄが生成され、データ電極２２（Ｄ１〜Ｄｎ）に選択的に印加される。
【００３１】
また電源装置部４０は、例えば図８に示す如くＰＤＰ１０を駆動するために、タイミングパルス発生部３３等のオンオフロジック系回路等に電源として供給する例えば５Ｖの直流電圧ＶＣと、このＰＤＰ１０のデータ（アドレス）電極２２（Ｄ１，Ｄ２‥‥Ｄｎ）を駆動するデータ電極駆動部３８に供給する例えば７０Ｖの直流電圧ＶＤと、このＰＤＰ１０の維持電極１３（Ｓｕ１，Ｓｕ２‥‥Ｓｕｍ）及び走査電極１２（Ｓｃ１，Ｓｃ２‥‥Ｓｃｍ）を駆動する維持電極駆動部３５及び共通パルス発生部３６、走査パルス発生部３７に供給する例えば１８０Ｖの直流電圧ＶＳとを得るようにしていた。
【００３２】
この図８例の電源装置部４０につき説明するに、図８において、４１は例えば１００Ｖ、５０Ｈｚの商用電源が供給される商用電源入力端子を示し、この商用電源入力端子４１をマイクロプロセッサ４２によりオンオフが制御される主電源スイッチ４３を介して高圧直流電圧例えば３８０Ｖの直流電圧発生用の力率改善（ＰＦＣ（Ｐｏｗｅｒ  Ｆａｃｔｏｒ  Ｃｏｎｔｒｏｌ））回路４４の入力側に接続する。
【００３３】
このＰＦＣ回路４４の出力側に得られる高圧直流電圧を２次側出力において例えば１２Ｖの直流電圧に変換するＤＣ−ＤＣコンバータ４６の入力側に供給すると共に、このＰＦＣ回路４４の入力側に得られる商用電源を整流用のダイオード４５を介して、このＤＣ−ＤＣコンバータ４６の入力側に供給する。このＰＦＣ回路４４の出力側を平滑用コンデンサ４７を介して接地する。
【００３４】
このＤＣ−ＤＣコンバータ４６の出力側に得られる例えば１２Ｖの直流電圧を例えば５Ｖの直流電圧ＶＣに変換するＤＣ−ＤＣコンバータ４８に供給し、このＤＣ−ＤＣコンバータ４８の出力側に得られる５Ｖの直流電圧ＶＣをＰＤＰ１０、駆動装置３０等より成るプラズマディスプレイ装置本体４９のタイミングパルス発生部３３等のオンオフロジック系回路等に電源として供給する。
【００３５】
またＤＣ−ＤＣコンバータ４６の１次側出力に得られる例えば１８Ｖの直流電圧を動作電源としてＰＦＣ回路４４に供給する。
【００３６】
このＰＦＣ回路４４の出力側に得られる例えば３８０Ｖの高圧直流電圧を出力側に例えば７０Ｖの直流電圧ＶＤを得るＤＣ−ＤＣコンバータ５０及び出力側に例えば１８０Ｖの直流電圧ＶＳを得るＤＣ−ＤＣコンバータ５１の夫々の入力側に供給する。
【００３７】
このＤＣ−ＤＣコンバータ５０の出力側を平滑用コンデンサ５２を介して接地すると共にこのＤＣ−ＤＣコンバータ５０の出力側に得られる例えば７０Ｖの直流電圧ＶＤをプラズマディスプレイ装置本体４９のＰＤＰ１０のデータ（アドレス）電極２２（Ｄ１，Ｄ２‥‥Ｄｎ）に駆動電圧を供給するデータ電極駆動部３８に供給する如くする。
【００３８】
また、このＤＣ−ＤＣコンバータ５１の出力側を平滑用コンデンサ５３を介して接地すると共にこのＤＣ−ＤＣコンバータ５１の出力側に得られる例えば１８０Ｖの直流電圧ＶＳをプラズマディスプレイ装置本体４９のＰＤＰ１０の維持電極１３（Ｓｕ１，Ｓｕ２‥‥Ｓｕｍ）及び走査電極１２（Ｓｃ１，Ｓｃ２‥‥Ｓｃｍ）を駆動する維持電極駆動部３５及び共通パルス発生部３６、走査パルス発生部３７に供給する如くする。
【００３９】
また、商用電源入力端子４１に得られる商用電源をスタンバイ用電源回路５４に供給し、このスタンバイ用電源回路５４に得られるスタンバイ電源を制御回路を構成するマイクロプロセッサ４２に電源として供給する。
【００４０】
図８において、５５はＰＦＣ回路４４の出力直流電圧を検出する電圧検出回路を示し、この電圧検出回路５５に得られる検出情報を絶縁回路を構成するフォトカップラ５６を介してマイクロプロセッサ４２に供給する。
【００４１】
またＤＣ−ＤＣコンバータ４６の１次側出力に得られる例えば１８Ｖの直流電圧を動作電源としてＤＣ−ＤＣコンバータ５０及びＤＣ−ＤＣコンバータ５１に供給する。
【００４２】
また、このＤＣ−ＤＣコンバータ４８の出力側を３つの接続スイッチ５７，５８及び５９の直列回路を介して絶縁回路を構成するフォトカップラ６０の入力側に接続し、このフォトカップラ６０の出力側に得られる信号によりＤＣ−ＤＣコンバータ５０の動作・不動作を制御する如くする。
【００４３】
この接続スイッチ５７をマイクロプロセッサ４２よりの制御信号によりオンオフを制御する如くし、このプラズマディスプレイ装置をオンとしたときにオンとし、このプラズマディスプレイ装置をオフしたときにオフとなる如くする。また接続スイッチ５９はフォトカップラ５６より得られるＰＦＣ回路４４の出力側の電圧検出情報が所定電圧値例えば３３０Ｖとなったときにオンする如くし、接続スイッチ５８は電圧検出回路６１によりＤＣ−ＤＣコンバータ５１の出力電圧ＶＳが所定電圧値例えば１５０Ｖ以上になったことを検出したときにオンする如くする。
【００４４】
この接続スイッチ５７及び５８の接続中点を絶縁回路を構成するフォトカップラ６２の入力側に接続し、このフォトカップラ６２の出力側に得られる信号により、このＤＣ−ＤＣコンバータ５１の動作・不動作を制御する。
【００４５】
ＤＣ−ＤＣコンバータ５０の出力側をディスチャージ回路６３を介して接地すると共にフォトカップラ６０の入力側をインバータ回路６４を介してこのディスチャージ回路６３の制御端子に接続し、このＤＣ−ＤＣコンバータ５０が不動作時に平滑用コンデンサ５２の電荷をディスチャージする如くする。
【００４６】
また、ＤＣ−ＤＣコンバータ５１の出力側をディスチャージ回路６５を介して接地すると共にフォトカップラ６２の入力側をインバータ回路６６を介してこのディスチャージ回路６５の制御端子に接続し、このＤＣ−ＤＣコンバータ５１が不動作時に平滑用コンデンサ５３の電荷をディスチャージする如くする。
【００４７】
この電源装置部４０の電源オン時のシーケンスは図９に示す如くである。即ち、マイクロプロセッサ４２から主電源オン信号が出力され主電源スイッチ４３がオンとされ、商用電源がダイオード４５及び平滑用コンデンサ４７で整流平滑され、ＤＣ−ＤＣコンバータ４６が起動し、このＤＣ−ＤＣコンバータ４６の２次側出力に例えば１２Ｖの直流電圧を出力する。
【００４８】
このときＤＣ−ＤＣコンバータ４８にこの例えば１２Ｖの直流電圧が供給され、このＤＣ−ＤＣコンバータ４８が動作し、図９に示す如く先ずこのＤＣ−ＤＣコンバータ４８の出力側に例えば５Ｖの直流電圧ＶＣを得、この直流電圧ＶＣをこのプラズマディスプレイ装置本体４９に供給する。
【００４９】
またこのときＤＣ−ＤＣコンバータ４６の１次側出力の例えば１８Ｖの直流電圧をＰＦＣ回路４４に供給して、このＰＦＣ回路４４を動作状態とし、商用電源が整流された脈流電圧を昇圧する。このとき電圧検出回路５５で検出している電圧が所定電圧例えば３３０Ｖを越えたらフォトカップラ５６を介してマイクロプロセッサ４２にＰＦＣ回路４４が立ち上がったことを知らせると共に接続スイッチ５９をオンする。
【００５０】
このマイクロプロセッサ４２はＰＦＣ回路４４が立ち上がった情報により、ＰＤＰ１０への電源をオンするための信号を出すと共に接続スイッチ５７をオンとする。このときはＤＣ−ＤＣコンバータ４８の出力直流電圧ＶＣが接続スイッチ５７を介してフォトカップラ６２の入力側に供給されＤＣ−ＤＣコンバータ５１を動作状態とし、このＤＣ−ＤＣコンバータ５１の出力側に図９に示す如く直流電圧ＶＣの立ち上がり後に立ち上がる直流電圧ＶＳが得られ、この直流電圧ＶＳがプラズマディスプレイ装置本体４９に供給される。
【００５１】
このＤＣ−ＤＣコンバータ５１の出力直流電圧ＶＳを電圧検出回路６１が監視し、この検出電圧が例えば１５０Ｖとなったときに接続スイッチ５８をオンとし、このときＤＣ−ＤＣコンバータ４８の出力直流電圧ＶＣが接続スイッチ５７，５８及び５９を介してフォトカップラ６０の入力側に供給され、ＤＣ−ＤＣコンバータ５０を動作状態とし、このＤＣ−ＤＣコンバータ５０の出力側に図９に示す如く直流電圧ＶＳの立ち上がりの後に立ち上がる直流電圧ＶＤが得られ、この直流電圧ＶＤがプラズマディスプレイ装置本体４９に供給される。
【００５２】
この電源装置部４０の電源オフ時のシーケンスは図９に示す如くである。即ちマイクロプロセッサ４２から、主電源オフ信号が出力され、主電源スイッチ４３がオフとされる。このとき平滑用コンデンサ４７に蓄えられた電荷による電圧が時間の経過と共に低下して行き、電圧検出回路５５による電圧検出値が所定の値例えば３３０Ｖとなったときは、この情報をマイクロプロセッサ４２に知らせると共に接続スイッチ５９をオフとする。
【００５３】
この接続スイッチ５９をオフとしたときはフォトカップラ６０の入力側に直流電圧ＶＣが供給されないのでＤＣ−ＤＣコンバータ５０を不動作とすると共にディスチャージ回路６３を動作状態とし平滑用コンデンサ５２の電荷をディスチャージし先ず図９に示す如くこのＤＣ−ＤＣコンバータ５０の出力側の直流電圧ＶＤを零に落とす。
【００５４】
次にマイクロプロセッサ４２よりのＰＤＰ１０のオフ信号により接続スイッチ５７をオフとする。このときはフォトカップラ６２の入力側の直流電圧ＶＣが無くなるのでＤＣ−ＤＣコンバータ５１が不動作となると共にディスチャージ回路６５が動作状態となり平滑用コンデンサ５３の電荷をディスチャージし、ＤＣ−ＤＣコンバータ５１の出力側の直流電圧ＶＳを図９に示す如く直流電圧ＶＤの立ち下がり後に零に落とす。
【００５５】
その後数百ｍＳ後にＤＣ−ＤＣコンバータ４６及び４８の動作が停止し、図９に示す如くＤＣ−ＤＣコンバータ４８の出力直流電圧ＶＣも零に落ちる。
【００５６】
上述の如く電源のオン及びオフ時のシーケンスに従うことにより、電源のオン及びオフ時におけるプラズマディスプレイパネル（ＰＤＰ）１０の破壊を防止する如くしていた。
【００５７】
ところで商用電源においては、瞬間的に入力商用電源が無くなる瞬停状態があり、この瞬停の時間が８３ｍＳ程度まで許容されており、上述の如きプラズマディスプレイ装置では比較的長い例えば２０ｍＳ程度のこの商用電源の瞬停があったときにはＰＦＣ回路４４の入力商用電源がこの間なくなるので、このＰＦＣ回路４４の出力直流電圧が例えば３３０Ｖ以下に降下し、上述電源オフ時のシーケンスを実行することとなる（特許文献１参照）。
【特許文献１】特開２０００−２２７７８１号公報
【発明の開示】
【発明が解決しようとする課題】
【００５８】
ところで、従来において一旦上述電源オフ時のシーケンスを実行したときには、この商用電源の瞬停が許容範囲内の例えば８３ｍＳ以内であっても、そのまま電源オフ時のシーケンスを実行し、ＰＤＰ１０の画面が消え、その後上述電源オン時のシーケンスを実行し、このＰＤＰ１０の画面が出画することとなる。
【００５９】
従って従来のプラズマディスプレイ装置においては商用電源の比較的長い例えば２０ｍＳ程度の瞬停があったときには、この電源オフ時のシーケンス及び電源オン時のシーケンスを経るのでＰＤＰ１０の画面が消えてから再び出画するまでに７〜８秒かかってしまい、例えばテレビ視聴に違和感を与える不都合があった。
【００６０】
この場合、平滑用コンデンサ４７の容量を大きくし、この商用電源の瞬停の許容範囲例えば８３ｍＳまで、このＰＦＣ回路４４の出力直流電圧が例えば３３０Ｖ以下とならないようにすることも考えられるが、この平滑用コンデンサ４７の容量が極めて大きくなる不都合があった。
【００６１】
本発明は、斯る点に鑑み商用電源の瞬停の許容範囲例えば８３ｍＳ程度までは平滑用コンデンサの容量を大きくすることなく例えばテレビ視聴に違和感を与えないようにすることを目的とする。
【課題を解決するための手段】
【００６２】
本発明プラズマディスプレイ装置は商用電源より高圧直流電圧を得るようにした高圧直流電圧発生手段と、この高圧直流電圧よりプラズマディスプレイパネルのオンオフロジック系回路に電源として供給する第１の直流電圧を得る第１のＤＣ−ＤＣコンバータと、この高圧直流電圧より前記プラズマディスプレイパネルのデータ（アドレス）電極に供給する第２の直流電圧を得る第２のＤＣ−ＤＣコンバータと、この高圧直流電圧よりこのプラズマディスプレイパネルの維持電極に供給する第３の直流電圧を得る第３のＤＣ−ＤＣコンバータを設けたプラズマディスプレイ装置において、電源オフ時のシーケンスは、この高圧直流電圧が第１の所定電圧に降下したときにこの第２のＤＣ−ＤＣコンバータの出力直流電圧を落とし、その後この高圧直流電圧がこの第１の所定電圧よりも低い第２の所定電圧に降下したときにこの第３のＤＣ−ＤＣコンバータの出力直流電圧を落とし、その後この第１のＤＣ−ＤＣコンバータを不動作とするようにしたものである。
【００６３】
斯る本発明によれば電源オフ時のシーケンスは高圧直流電圧が第１の所定電圧例えば３３０Ｖに降下したときに第２のＤＣ−ＤＣコンバータの出力直流電圧ＶＤを落とし、その後この高圧直流電圧がこの第１の所定電圧よりも低い第２の所定電圧例えば２５０Ｖになったときに第３のＤＣ−ＤＣコンバータの出力直流電圧ＶＳを落とすようにしたので、この第２のＤＣ−ＤＣコンバータの出力直流電圧ＶＤが無くなったときにＰＤＰの放電が停止し、第３のＤＣ−ＤＣコンバータの出力直流電圧ＶＳの負荷が減り、高圧直流電圧の電圧低下が遅くなり、商用電源の瞬停が許容範囲の８３ｍＳ程度では、第２の所定電圧例えば２５０Ｖ以下となることがなく、この電源オフ時のシーケンスに入らないので、この商用電源の瞬停の許容範囲例えば８３ｍＳ程度内では、第２のＤＣ−ＤＣコンバータが停止しているだけなので、この第２のＤＣ−ＤＣコンバータの立ち上りは早く、瞬き程度であり、例えばテレビ視聴に違和感を与えることがない。
【発明の効果】
【００６４】
本発明によれば商用電源の瞬停の許容範囲例えば８３ｍＳ程度内では第２のＤＣ−ＤＣコンバータが停止しているだけなので、この第２のＤＣ−ＤＣコンバータの立ち上りは早く、この商用電源の瞬停の許容範囲例えば８３ｍＳ程度内でのＰＤＰの画面の回復は瞬き程度であり、例えばテレビ視聴に違和感はない。
【発明を実施するための最良の形態】
【００６５】
以下、図１及び図２を参照して本発明プラズマディスプレイ装置及びプラズマディスプレイ装置の電源オフ方法を実施するための最良の形態の例につき説明する。図１において図８に対応する部分には同一符号を付して示す。
【００６６】
本例においては、プラズマディスプレイ装置本体４９は図３〜図７で説明したと同様に構成し、電源装置部４０を図１に示す如く構成する。
【００６７】
即ち本例による電源装置部４０も、プラズマディスプレイパネル（ＰＤＰ（Ｐｌａｓｍａ  Ｄｉｓｐｌａｙ  Ｐａｎｅｌ））１０を駆動するためにタイミング系回路等に電源として供給する例えば５Ｖの直流電圧ＶＣと、このＰＤＰ１０のデータ（アドレス）電極２２（Ｄ１，Ｄ２‥‥Ｄｎ）を駆動するデータ電極駆動部３８に供給する例えば７０Ｖの直流電圧ＶＤと、このＰＤＰ１０の維持電極１３（Ｓｕ１，Ｓｕ２‥‥Ｓｕｍ）及び走査電極１２（Ｓｃ１，Ｓｃ２‥‥Ｓｃｍ）を駆動する維持電極駆動部３５及び共通パルス発生部３６、走査パルス発生部３７に供給する例えば１８０Ｖの直流電圧ＶＳとを得るようにしている。
【００６８】
この図１例につき説明するに、図１において、４１は例えば１００Ｖ、５０Ｈｚの商用電源が供給される商用電源入力端子を示し、この商用電源入力端子４１を制御回路を構成するマイクロプロセッサ４２によりオンオフが制御される主電源スイッチ４３を介して高圧直流電圧例えば３８０Ｖの直流電圧発生用の力率改善（ＰＦＣ（Ｐｏｗｅｒ  Ｆａｃｔｏｒ  Ｃｏｎｔｒｏｌ））回路４４の入力側に接続する。
【００６９】
このＰＦＣ回路４４の出力側に得られる高圧直流電圧を２次側出力において、例えば１２Ｖの直流電圧に変換するＤＣ−ＤＣコンバータ４６の入力側に供給すると共にこのＰＦＣ回路４４の入力側に得られる商用電源を整流用のダイオード４５を介して、このＤＣ−ＤＣコンバータ４６の入力側に供給する。このＰＦＣ回路４４の出力側を平滑用コンデンサ４７を介して接地する。この場合平滑用コンデンサ４７の容量は従来同様とする。
【００７０】
このＤＣ−ＤＣコンバータ４６の出力側に得られる例えば１２Ｖの直流電圧を例えば５Ｖの直流電圧ＶＣに変換するＤＣ−ＤＣコンバータ４８に供給し、このＤＣ−ＤＣコンバータ４８の出力側に得られる例えば５Ｖの直流電圧ＶＣをＰＤＰ１０、駆動装置３０等より成るプラズマディスプレイ装置本体４９のタイミングパルス発生部３３等のオンオフロジック系回路等に電源として供給する。
【００７１】
また、このＤＣ−ＤＣコンバータ４６の１次側出力に得られる例えば１８Ｖの直流電圧を動作電源として、このＰＦＣ回路４４に供給する。
【００７２】
このＰＦＣ回路４４の出力側に得られる例えば３８０Ｖの高圧直流電圧を出力側に例えば７０Ｖの直流電圧ＶＤを得るＤＣ−ＤＣコンバータ５０及び出力側に例えば１８０Ｖの直流電圧ＶＳを得るＤＣ−ＤＣコンバータ５１の夫々の入力側に供給する。
【００７３】
このＤＣ−ＤＣコンバータ５０の出力側を平滑用コンデンサ５２を介して接地すると共にこのＤＣ−ＤＣコンバータ５０の出力側に得られる例えば７０Ｖの直流電圧ＶＤをプラズマディスプレイ装置本体４９のＰＤＰ１０のデータ（アドレス）電極２２（Ｄ１，Ｄ２‥‥Ｄｎ）に駆動電圧を供給するデータ電極駆動部３８に供給する如くする。
【００７４】
また、このＤＣ−ＤＣコンバータ５１の出力側を平滑用コンデンサ５３を介して接地すると共にこのＤＣ−ＤＣコンバータ５１の出力側に得られる例えば１８０Ｖの直流電圧ＶＳをプラズマディスプレイ装置本体４９のＰＤＰ１０の維持電極１３（Ｓｕ１，Ｓｕ２‥‥Ｓｕｍ）及び走査電極１２（Ｓｃ１，Ｓｃ２‥‥Ｓｃｍ）を駆動する維持電極駆動部３５及び共通パルス発生部３６、走査パルス発生部３７に供給する如くする。
【００７５】
また、商用電源入力端子４１に得られる商用電源をスタンバイ用電源回路５４に供給し、このスタンバイ用電源回路５４に得られるスタンバイ電源を制御回路を構成するマイクロプロセッサ４２に電源として供給する。
【００７６】
図１において、５５はＰＦＣ回路４４の出力直流電圧を検出する電圧検出回路を示し、この電圧検出回路５５に得られる電圧検出情報を絶縁回路を構成するフォトカップラ５６を介してマイクロプロセッサ４２に供給する。
【００７７】
またＤＣ−ＤＣコンバータ４６の１次側出力に得られる例えば１８Ｖの直流電圧を動作電源としてＤＣ−ＤＣコンバータ５０及びＤＣ−ＤＣコンバータ５１に供給する。
【００７８】
本例においては、このＤＣ−ＤＣコンバータ４８の出力側を４つの接続スイッチ５７，７０，７１及び７２の直列回路を介して絶縁回路を構成するフォトカップラ６０の入力側に接続し、このフォトカップラ６０の出力側に得られる信号により、このＤＣ−ＤＣコンバータ５０の動作・不動作を制御する如くする。
【００７９】
この接続スイッチ５７をマイクロプロセッサ４２よりの制御信号によりオンオフを制御する如くし、このプラズマディスプレイ装置をオンとしたときオンとし、このプラズマディスプレイ装置をオフとしたときオフとなる如くする。
【００８０】
また、接続スイッチ７０は本例においてはフォトカップラ５６より得られるＰＦＣ回路４４の出力側の電圧検出情報が所定電圧（第２の所定電圧）例えば２５０Ｖ以上のときにオンし、２５０Ｖ以下となったときにオフする如くする。
【００８１】
また接続スイッチ７１は電圧検出回路６１によりＤＣ−ＤＣコンバータ５１の出力電圧ＶＳが所定電圧例えば１５０Ｖ以上になったことを検出したときにオンとなり、１５０Ｖ以下のときはオフする如くする。
【００８２】
更に本例においてはＰＦＣ回路４４の出力側にこの出力直流電圧を検出する電圧検出回路７３を設け、この電圧検出回路７３により所定電圧（第１の所定電圧）例えば３３０Ｖ以上になったことを検出したときに、この検出信号を制御信号として絶縁回路を構成するフォトカップラ７４を介して接続スイッチ７２に供給し、この接続スイッチ７２をオンする如くする。この接続スイッチ７２はこの電圧検出回路７３の検出電圧がこの所定電圧（第１の所定電圧）例えば３３０Ｖ以下となったときはオフする如くする。
【００８３】
この接続スイッチ７１及び７２の接続中点を絶縁回路を構成するフォトカップラ６２の入力側に接続し、このフォトカップラ６２の出力側に得られる信号により、このＤＣ−ＤＣコンバータ５１の動作・不動作を制御する。
【００８４】
このＤＣ−ＤＣコンバータ５０の出力側をディスチャージ回路６３を介して接地すると共にフォトカップラ６０の入力側をインバータ回路６４を介してこのディスチャージ回路６３の制御端子に接続し、このＤＣ−ＤＣコンバータ５０が不動作時に平滑用コンデンサ５２の蓄積電荷をディスチャージする如くする。
【００８５】
また、ＤＣ−ＤＣコンバータ５１の出力側をディスチャージ回路６５を介して接地すると共にフォトカップラ６２の入力側をインバータ回路６６を介してこのディスチャージ回路６５の制御端子に接続し、このＤＣ−ＤＣコンバータ５１が不動作時に平滑用コンデンサ５３の蓄積電荷をディスチャージする如くする。
【００８６】
本例による電源装置部４０は上述の如く構成されており、この電源オン時のシーケンスは図２、図９に示す如くである。即ちマイクロプロセッサ４２から主電源オン信号が出力され、主電源スイッチ４３がオンとされ、商用電源がダイオード４５及び平滑用コンデンサ４７で整流平滑され、ＤＣ−ＤＣコンバータ４６が起動し、このＤＣ−ＤＣコンバータ４６の２次側出力に例えば１２Ｖの直流電圧を出力する。
【００８７】
このときＤＣ−ＤＣコンバータ４８にこの例えば１２Ｖの直流電圧が供給され、このＤＣ−ＤＣコンバータ４８が動作し、図２Ｂ、図９に示す如く、先ずこのＤＣ−ＤＣコンバータ４８の出力側に例えば５Ｖの直流電圧ＶＣを得、この直流電圧ＶＣをこのプラズマディスプレイ装置本体４９に供給する。
【００８８】
また、このときＤＣ−ＤＣコンバータ４６の１次側出力の例えば１８Ｖの直流電圧をＰＦＣ回路４４に供給して、このＰＦＣ回路４４を動作状態とし、商用電源が整流された脈流電圧を昇圧する。またこのときＤＣ−ＤＣコンバータ４６の１次側出力の例えば１８Ｖの直流電圧をＤＣ−ＤＣコンバータ５０及び５１に動作電圧として供給する。
【００８９】
このとき電圧検出回路５５で検出している電圧が所定電圧（第２の所定電圧）例えば２５０Ｖになったときに接続スイッチ７０をオンとし、電圧検出回路７３で検出している電圧が所定電圧（第１の所定電圧）例えば３３０Ｖを超えたら接続スイッチ７２をオンとする。
【００９０】
電圧検出回路５５により、このＰＦＣ回路４４の出力直流電圧が所定電圧例えば３５０Ｖを超えたときにフォトカップラ５６を介してマイクロプロセッサ４２にＰＦＣ回路４４が立ち上がったことを知らせる。
このマイクロプロセッサ４２はＰＦＣ回路４４が立ち上がった情報によりＰＤＰ１０への電源をオンするための信号を出すと共に接続スイッチ５７をオンとする。
【００９１】
このときはＤＣ−ＤＣコンバータ４８の出力直流電圧ＶＣが接続スイッチ５７及び７０の直列回路を介してフォトカップラ６２の入力側に供給され、ＤＣ−ＤＣコンバータ５１を動作状態とし、このＤＣ−ＤＣコンバータ５１の出力側に図２Ｃ、図９に示す如く直流電圧ＶＣの立ち上がり後に立ち上がる直流電圧ＶＳが得られ、この直流電圧ＶＳがプラズマディスプレイ装置本体４９に供給される。
【００９２】
このＤＣ−ＤＣコンバータ５１の出力直流電圧ＶＳを電圧検出回路６１が監視し、この検出電圧が例えば１５０Ｖとなったときに接続スイッチ７１をオンとする。このときは接続スイッチ５７，７０及び７２は既にオンとなっているので、ＤＣ−ＤＣコンバータ４８の出力直流電圧ＶＣが接続スイッチ５７，７０，７１及び７２を介してフォトカップラ６０の入力側に供給され、ＤＣ−ＤＣコンバータ５０を動作状態とし、このＤＣ−ＤＣコンバータ５０の出力側に図２Ｄ、図９に示す如く、直流電圧ＶＳの立ち上がり後に立ち上がる直流電圧ＶＤが得られ、この直流電圧ＶＤがプラズマディスプレイ装置本体４９に供給される。
【００９３】
このＰＦＣ回路４４の出力側に得られる高圧直流電圧は図２Ａに示す如く定常時電圧は例えば３８０Ｖである。
【００９４】
また、この電源装置部４０の電源オフ時のシーケンスは図９に示す如くである。即ちマイクロプロセッサ４２から主電源オフ信号が出力され、主電源スイッチ３がオフとされる。このとき平滑用コンデンサ４７に蓄えられた電荷による電圧が時間の経過と共に低下して行き、電圧検出回路７３によるＰＦＣ回路４４の出力直流電圧が第１の所定電圧例えば３３０Ｖ以下となったときは接続スイッチ７２をオフとし、フォトカップラ６０の入力直流電圧ＶＣを無くしてＤＣ−ＤＣコンバータ５０を不動作とすると共にディスチャージ回路６３を動作状態とし平滑用コンデンサ５２の蓄積電荷をディスチャージし、先ず図９に示す如くこのＤＣ−ＤＣコンバータ５０の出力側の直流電圧ＶＤを零に落す。
【００９５】
このときはプラズマディスプレイ装置本体４９に直流電圧ＶＤが供給されないのでＰＤＰ１０のデータ（アドレス）電極２２（Ｄ１、Ｄ２・・・Ｄｎ）にデータ電圧Ｖｄが掛からなくなりＰＤＰ１０内での放電が無くなり直流電圧ＶＳの負荷が減り、平滑用コンデンサ４７の放電による電圧低下がゆるやかとなる。
【００９６】
この状態でＰＦＣ回路４４の出力直流電圧の電圧検出回路５５の検出電圧が第１の所定電圧例えば３３０Ｖより低い第２の所定電圧例えば２５０Ｖとなったときに、このＰＦＣ回路４４の動作を停止し、フォトカップラ５６を介して接続スイッチ７０をオフすると共にこのＰＦＣ回路４４が停止したことをマイクロプロセッサ４２に知らせる。
【００９７】
この接続スイッチ７０がオフしたことによりフォトカップラ６２の入力側に供給されていた直流電圧ＶＣが無くなり、ＤＣ−ＤＣコンバータ５１が不動作となると共にディスチャージ回路６５が動作状態となり、平滑用コンデンサ５３の蓄積電荷をディスチャージし、ＤＣ−ＤＣコンバータ５１の出力側の直流電圧ＶＳを図９に示す如く直流電圧ＶＤの立ち下がり後に零に落す。
【００９８】
その後数百ｍＳ後にＤＣ−ＤＣコンバータ４６及び４８の動作を停止し、図９に示す如くＤＣ−ＤＣコンバータ４８の出力直流電圧ＶＣも零に落とす。
【００９９】
上述の如く電源のオン及びオフ時のシーケンスに従うことにより、電源のオン及びオフ時におけるプラズマディスプレイパネル（ＰＤＰ）１０の破壊を防止することができる。
【０１００】
本例において商用電源が瞬停したときは、商用電源入力端子４１に供給される商用電源がこの瞬停の期間無くなるので、このＰＦＣ回路４４の高圧直流電圧は図２Ａに示す如く平滑用コンデンサ４７に蓄積された電荷が負荷を介して放電され降下し、電圧検出回路７３が第１の所定電圧例えば３３０Ｖを下回ることを検出したときは接続スイッチ７２をオフとし、フォトカップラ６０の入力側の直流電圧ＶＣを無くし、ＤＣ−ＤＣコンバータ５０を不動作状態とすると共にディスチャージ回路６３を動作状態として、図２Ｄに示す如く平滑用コンデンサ５２の蓄積電荷を強制放電する。
【０１０１】
このＤＣ−ＤＣコンバータ５０の出力直流電圧ＶＤが無くなったときはＰＤＰ１０は新たな書き込みができなくなり、このＰＤＰ１０の放電が停止する。このＰＤＰ１０の放電が停止するとＤＣ−ＤＣコンバータ５１の出力直流電圧ＶＳの負荷が減り、ＰＦＣ回路４４の平滑用コンデンサ４７の電圧低下が図２Ａに示す如く遅くなり、この商用電源の瞬停の時間が許容範囲の８３ｍＳ程度では、このＰＦＣ回路４４の出力直流電圧は第２の所定電圧例えば２５０Ｖを下回ることが無く、ＤＣ−ＤＣコンバータ５０のみが不動作となっているだけなので、この商用電源の瞬停がなくなったときは、ＰＦＣ回路４４の高圧直流電圧の立ち上りも早く、このＤＣ−ＤＣコンバータ５０の出力直流電圧ＶＤも早く出力され、ＰＤＰ１０の画面の回復は瞬き程度であり、例えばテレビ視聴に違和感を与えることがない。
【０１０２】
この場合、この商用電源の瞬停が許容範囲より長く、このＰＦＣ回路４４の出力直流電圧が第２の所定電圧例えば２５０Ｖを下回るようなときは上述電源オフのシーケンスを実行することとなるので、このときはＰＤＰ１０の画面の回復に従来同様に７〜８秒の時間を要することとなる。
【０１０３】
尚本発明は上述例に限ることなく本発明の要旨を逸脱することなく、その他種々の構成が採り得ることは勿論である。
【図面の簡単な説明】
【０１０４】
【図１】本発明プラズマディスプレイ装置を実施するための最良の形態の例の要部を示す構成図である。
【図２】本発明の説明に供する線図である。
【図３】交流放電メモリ動作型ＰＤＰの概略的な平面構成を示す図である。
【図４】交流放電メモリ動作型ＰＤＰの一つの表示セルの概略的な断面構成を示す図である。
【図５】交流放電メモリ動作型ＰＤＰの駆動方法の一例を示す図である。
【図６】交流放電メモリ動作型ＰＤＰの輝度階調の実現方法の一例を示す図である。
【図７】従来のプラズマディスプレイ装置の一例を示す図である。
【図８】従来のプラズマディスプレイ装置の電源装置部の例を示す構成図である。
【図９】図８の説明に供する線図である。
【符号の説明】
【０１０５】
１０‥‥ＰＤＰ、１２‥‥走査電極、１３‥‥維持電極、２２‥‥データ（アドレス）電極、３１‥‥映像信号処理部、３２‥‥映像データ発生部、３３‥‥タイミングパルス発生部、３５‥‥維持電極駆動部、３６‥‥共通パルス発生部、３７‥‥走査パルス発生部、３８‥‥データ電極駆動部、４０‥‥電源装置部、４１‥‥商用電源入力端子、４２‥‥マイクロプロセッサ、４３‥‥主電源スイッチ、４４‥‥ＰＦＣ回路、４５‥‥ダイオード、４６，４８，５０，５１‥‥ＤＣ−ＤＣコンバータ、４７，５２，５３‥‥平滑用コンデンサ、４９‥‥プラズマディスプレイ装置本体、５５，６１，７３‥‥電圧検出回路、５６，６０，６２，７４‥‥フォトカップラ、５７，７０，７１、７２‥‥接続スイッチ、６３，６５‥‥ディスチャージ回路
【図１】
2005114850.tif 000003
【図２】
2005114850.tif 000004
【図３】
2005114850.tif 000005
【図４】
2005114850.tif 000006
【図５】
2005114850.tif 000007
【図６】
2005114850.tif 000008
【図７】
2005114850.tif 000009
【図８】
2005114850.tif 000010
【図９】
2005114850.tif 000011